【手続補正書】
【提出日】平成29年3月3日(2017.3.3)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
少なくともＣＰＵと、特定手段と、を内蔵した制御用マイクロコンピュータと、
遊技機への電力供給が開始されたことにもとづいて前記制御用マイクロコンピュータを動作させるためのクロック信号を出力するクロック信号出力手段と、
前記ＣＰＵの動作を開始させるためのリセット信号を出力するリセット信号出力手段と、
可変表示に関する情報を保留情報として記憶可能な保留記憶手段と、
前記有利状態に制御するか否かを決定する決定手段と、
前記決定手段の決定結果にもとづいて、可変表示を実行する可変表示実行手段と、
前記有利状態となるか否かを前記決定手段による決定前に判定する判定手段と、
前記判定手段による判定にもとづいて、複数回の可変表示にわたって、予告演出を実行する予告演出実行手段と、
を備え、
前記特定手段は、前記クロック信号出力手段からの前記クロック信号の入力が開始されたことにもとづいて動作を開始し、
前記ＣＰＵは、前記リセット信号出力手段からの前記リセット信号が入力されたことにもとづいて動作を開始し、
前記予告演出実行手段は、前記複数回の可変表示において、第１予告演出を実行するパターンと、当該第１予告演出よりも前記有利状態となる割合が高い第２予告演出を実行するパターンと、前記第１予告演出を実行した後に前記第２予告演出を実行するパターンと、のいずれかのパターンで前記予告演出を実行可能であり、
前記第１予告演出の演出態様は複数あり、
前記予告演出実行手段は、前記第１予告演出の演出態様に応じて、前記第１予告演出を実行した後に前記第２予告演出を実行するパターンで前記予告演出が実行される割合が異なるように、前記予告演出を実行する、
ことを特徴とする遊技機。
【手続補正２】
【補正対象書類名】明細書
【補正対象項目名】０００１
【補正方法】変更
【補正の内容】
【０００１】
本発明は、可変表示を行い、遊技者にとって有利な有利状態に制御可能なパチンコ遊技機等の遊技機に関する。
【手続補正３】
【補正対象書類名】明細書
【補正対象項目名】０００８
【補正方法】変更
【補正の内容】
【０００８】
しかし、特許文献１、特許文献２に記載された遊技機を組合せた場合に、セキュリティ性の向上は図れるものの、遊技に対する興趣を向上させられない虞がある。
【手続補正４】
【補正対象書類名】明細書
【補正対象項目名】０００９
【補正方法】変更
【補正の内容】
【０００９】
そこで、本発明は、遊技に対する興趣を向上させることができる遊技機を提供することを目的とする。
【手続補正５】
【補正対象書類名】明細書
【補正対象項目名】００１０
【補正方法】変更
【補正の内容】
【００１０】
（手段Ａ）本発明による遊技機は、可変表示を行い、遊技者にとって有利な有利状態に制御可能な遊技機であって、少なくともＣＰＵ（例えば、ＣＰＵ５６）と、特定手段（例えば、外部バスインタフェース５０１、クロック回路５０２、照合用ブロック５０３、固有情報記憶回路５０４、演算回路５０５、リセット／割込みコントローラ５０６、ＲＯＭ（Read Only Memory）５４、ＲＡＭ（Random Access Memory）５５、フリーランカウンタ回路５０７、乱数回路５０８ａ，５０８ｂ、タイマ回路５０９、割り込みコントローラ５１０、パラレル入力ポート５１１、シリアル通信回路５１２、パラレル出力ポート５１３、アドレスデコード回路５１４等の周辺回路）と、を内蔵した制御用マイクロコンピュータ（例えば、遊技制御用マイクロコンピュータ５６０）と、遊技機への電力供給が開始されたことにもとづいて前記制御用マイクロコンピュータを動作させるためのクロック信号を出力するクロック信号出力手段（例えば、図７５に示す発振回路乙）と、前記ＣＰＵの動作を開始させるためのリセット信号を出力するリセット信号出力手段（例えば、図７５に示す初期リセット回路）と、可変表示に関する情報を保留情報として記憶可能な保留記憶手段（例えば、第１保留記憶バッファ、第２保留記憶バッファ）と、前記有利状態に制御するか否かを決定する決定手段（例えば、遊技制御用マイクロコンピュータ５６０におけるステップＳ３００の特別図柄通常処理において大当り判定用乱数（ランダムＲ）を用いた抽選処理により大当りとするか否かを決定する部分）と、前記決定手段の決定結果にもとづいて、可変表示を実行する可変表示実行手段（例えば、遊技制御用マイクロコンピュータ５６０におけるステップＳ３０３を実行する部分。演出制御用マイクロコンピュータ１００におけるステップＳ１７２を実行する部分）と、前記有利状態となるか否かを前記決定手段による決定前に判定する判定手段（例えば、遊技制御用マイクロコンピュータ５６０における第１始動口スイッチ通過処理（ステップＳ３１２参照）や第２始動口スイッチ通過処理（ステップＳ３１４参照）にて入賞時乱数値判定処理を実行する部分）と、前記判定手段による判定にもとづいて、複数回の可変表示にわたって、予告演出を実行する予告演出実行手段（例えば、演出制御押マイクロコンピュータ１００におけるステップＳ７１０の処理にもとづきステップＳ６０３の処理を実行する部分）と、を備え、前記特定手段は、前記クロック信号出力手段からの前記クロック信号の入力が開始されたことにもとづいて動作を開始し（例えば、クロック回路５０２により生成される内部システムクロックＳＣＬＫの入力により動作を開始する部分）、前記ＣＰＵは、前記リセット信号出力手段からの前記リセット信号が入力されたことにもとづいて動作を開始し（例えば、システムリセット信号が立ち上がることによりＣＰＵ５６の動作が開始される部分）、前記予告演出実行手段は、前記複数回の可変表示において、第１予告演出を実行するパターン（例えば、先読み予告パターンＳＹＰ１−１やＳＹＰ１−２）と、当該第１予告演出よりも前記有利状態となる割合が高い第２予告演出を実行するパターン（例えば、先読み予告パターンＳＹＰ２−１）と、前記第１予告演出を実行した後に前記第２予告演出を実行するパターン（例えば、先読み予告パターンＳＹＰ３−１）と、のいずれかのパターンで前記予告演出を実行可能であり、前記第１予告演出の演出態様は複数あり（例えば、チャンス目Ａが停止される場合とチャンス目Ｂが停止される場合とがある）、前記予告演出実行手段は、前記第１予告演出の演出態様に応じて、前記第１予告演出を実行した後に前記第２予告演出を実行するパターンで前記予告演出が実行される割合が異なるように、前記予告演出を実行する（例えば、チャンス目Ａが停止する停止図柄予告が実行された場合には、背景変化予告が実行される場合があるが、チャンス目Ｂが停止する停止図柄予告が実行された場合には、背景変化予告が実行されない。図６１参照。）、ことを特徴とする。そのような構成によれば、遊技に対する興趣を向上させることができる。
（手段１）他の遊技機は、所定の遊技を行うことが可能な遊技機（例えば、パチンコ遊技機や、スロットマシン）であって、少なくともＣＰＵ（例えば、ＣＰＵ５６）と、特定手段（例えば、外部バスインタフェース５０１、クロック回路５０２、照合用ブロック５０３、固有情報記憶回路５０４、演算回路５０５、リセット／割込みコントローラ５０６、ＲＯＭ（Read Only Memory）５４、ＲＡＭ（Random Access Memory）５５、フリーランカウンタ回路５０７、乱数回路５０８ａ，５０８ｂ、タイマ回路５０９、割り込みコントローラ５１０、パラレル入力ポート５１１、シリアル通信回路５１２、パラレル出力ポート５１３、アドレスデコード回路５１４等の周辺回路）と、を内蔵した制御用マイクロコンピュータ（例えば、遊技制御用マイクロコンピュータ５６０）と、遊技機への電力供給が開始されたことにもとづいて前記制御用マイクロコンピュータを動作させるためのクロック信号を出力するクロック信号出力手段（例えば、図７５に示す発振回路乙）と、前記ＣＰＵの動作を開始させるためのリセット信号を出力するリセット信号出力手段（例えば、図７５に示す初期リセット回路）と、を備え、前記特定手段は、前記クロック信号出力手段からの前記クロック信号の入力が開始されたことにもとづいて動作を開始し（例えば、クロック回路５０２により生成される内部システムクロックＳＣＬＫの入力により動作を開始する部分）、前記ＣＰＵは、前記リセット信号出力手段からの前記リセット信号が入力されたことにもとづいて動作を開始する（例えば、システムリセット信号が立ち上がることによりＣＰＵ５６の動作が開始される部分）とともに、動作を開始したときに前記特定手段の動作が正常か否かを判定し（例えば、各周辺回路の動作が正常か否かを判定する処理を実行する部分）、正常でないと判定したことにもとづいて動作を停止し（例えば、ＣＰＵ５６が各周辺回路の動作が異常であると判定した場合に動作を停止する部分）、前記クロック信号出力手段により前記クロック信号の出力が開始されるタイミングを、遊技機への電力供給が開始された後、所定期間遅延させる遅延手段（例えば、図７５に示す停電検出回路からの電源断信号と、初期リセット回路からのシステムリセット信号をＯＲ回路甲を介してＯＥの端子に電源電圧を入力させるようにしている部分）、をさらに備えた、ことを特徴とする。そのような構成によれば、セキュリティ性を向上させるとともに、動作が停止してしまうことを防止することができる。